(57)【要約】      （修正有）【課題】使用済みペットボトルなどのボトル容器の口部に取り付けてボトル容器を水差しとして再利用できるようにするボトル容器用水差しノズルにおいて、注水作業を容易に行うことができるボトル容器用水差しノズルを提供する。【解決手段】屈曲部２を有する管状水路１の一側にボトル容器の口部に装着可能なボトル容器装着部３を、他側に注水口４を備え、屈曲部２の外側に管状水路１から分岐した排水路５を設ける。また排水路分岐位置近傍の注水口側に邪魔壁７を設ける。邪魔壁は、管状水路の注水口側の軸線を垂直状態にして注水口から注水した場合に、排水路に直接水が進入しないよう庇状に形成する。【選択図】図１
0003189338.tif 000002
【実用新案登録請求の範囲】
【請求項１】
屈曲部を有する管状水路の一側にボトル容器の口部に装着可能なボトル容器装着部を、他側に注水口を備え、
前記屈曲部の外側には前記管状水路から分岐して排水路を設けた、
ボトル容器用水差しノズル。
【請求項２】
管状水路内の排水路分岐位置近傍注水口側には邪魔壁を設けた、請求項１記載のボトル容器用水差しノズル。
【請求項３】
邪魔壁は、管状水路の注水口側の軸線を垂直状態にして前記注水口から注水した場合に、排水路に直接水が進入しないよう庇状に形成した、請求項２記載のボトル容器用水差しノズル。
【考案の詳細な説明】
【技術分野】
【０００１】
この考案は、ペットボトルなどのボトル容器の口部に取り付けて水差しとして利用できるようにするためのボトル容器用水差しノズルに関するものである。
【背景技術】
【０００２】
従来より、ペットボトルなどのボトル容器の口部に、複数の透孔を形成したキャップ等を着脱可能に取り付けて、当該ボトル容器をじょうろや水差しとして再利用できるようにしたものが存在する。
【０００３】
例えば、特開２００１−２１１７６６号公報には、使用済みペットボトルなどのボトル容器の口部に蛇腹状の管を接続し、この管の先端に水差し部材を着脱可能に取り付けたペットボトル用水差し口に係る考案が記載されている。
【０００４】
この考案によれば、使用済みペットボトルなどのボトル容器を水差しとして再利用することができる。そして、この考案の水差し口は、蛇腹状の管を備えているので、植物への水やりの際に角度調整や長さ調整が可能であり、葉に隠れた根元へ水やりをする際、使いやすい状態に蛇腹管の長さ等を調整して行うことができる。
【０００５】
しかしながら、この考案の水差し口は、ボトル内に水を注入する際、蛇腹管をボトル容器の口部から取り外すか、あるいは、蛇腹管を縮めた状態でその先端に取り付けられた水差しノズルを取り外して注水しなければならず、注水作業に手間がかかるという問題がある。
【特許文献１】特開２００１−２１１７６６号公報
【考案の開示】
【考案が解決しようとする課題】
【０００６】
この考案は、使用済みペットボトルなどのボトル容器の口部に取り付けて当該ボトル容器を水差しとして再利用できるようにするボトル容器用水差しノズルにおいて、注水作業を容易に行うことができるボトル容器用水差しノズルを得ることを課題とする。
【課題を解決するための手段】
【０００７】
この考案のボトル容器用水差しノズルは、屈曲部を有する管状水路の一側にボトル容器の口部に装着可能なボトル容器装着部を、他側に注水口を備え、前記屈曲部の外側に前記管状水路から分岐した排水路を設けて構成する。
【０００８】
前記管状水路は、屈曲部を備えた管状部材で構成され、一側にペットボトルなどのボトル容器の口部に装着可能なボトル容器装着部が、他側に水等の液体を注入するための注水口を備えていればよい。前記ボトル容器装着部は、例えば、前記管状水路の内側にネジ溝を形成してボトル容器のネジ口に螺合可能に構成したり、前記管状水路の内径をボトル容器の口部外径より僅かに小さくなるように形成してボトル容器の口部に嵌合可能に構成することが考えられる。
前記屈曲部は、前記水路の両端間において、略「く」字状の屈曲部として形成されていることが好ましい。
前記排水路は、前記屈曲部の外側に前記管状水路から分岐して設けてあればよく、管状あるいは溝樋状の部材で構成することが考えられる。
この発明において、前記屈曲部の「外側」とは屈曲の凸側をいう。
【０００９】
請求項２の考案に係るボトル容器用水差しノズルは、請求項１のボトル容器用水差しノズルにおいて、前記管状水路内の排水路分岐位置近傍注水口側に邪魔壁を設けて構成する。
【００１０】
前記邪魔壁は、前記管状水路内の排水路分岐位置近傍注水口側において、前記注水口から注入される水の流れが屈曲部に沿った流れに変更されるよう、前記管状水路内に突出して形成されていればよく、例えば、前記管状水路の内壁を隆起させたり、板を取り付けたりして構成することが考えられる。また、前記邪魔壁の注水口側の面は、前記管状水路のボトル容器取付側の軸線と平行な面とすることが好ましい。
【００１１】
さらに、前記邪魔壁は、前記管状水路の注水口側の軸線を垂直状態にして前記注水口から注水した場合に、排水路に直接水が進入しないよう庇状に形成するのが好ましい（請求項３）。
【考案の効果】
【００１２】
この考案によれば、管状水路の屈曲部外側に前記水路から分岐して排水路を設けたので、ボトル容器装着状態で排水路側に傾けて排水する際、排水路が、屈曲した管状水路の丁度「谷底」に位置することとなり、管状水路の注水口側の側壁によって水がせき止められ、注水口が開口状態であっても水が注水口から漏れ出てしまうことがない。このため、排水時に注水口を閉塞する必要がなく、常時開口状態としておくことができるので、注水時に注水口の開閉作業を行う必要がなくなり、注水作業を簡素化することができる。
【００１３】
請求項２の考案によれば、管状水路内の排水路分岐位置近傍の注水口側に邪魔壁を設けたので、注水口から注入された水の流れがこの邪魔壁によって屈曲部に沿った方向の流れに変更され、注水時に水が誤って排水路に進入して外部に漏出してしまうことを防止することができる。
【００１４】
請求項３の考案によれば、邪魔壁は、管状水路の注水口側の軸線を垂直状態にして前記注水口から注水した場合に、排水路に直接水が進入しないよう庇状に形成したので、管状水路の注水口側を垂直にして注水する際に、排水路の上方が前記邪魔壁によって遮られる状態となり、排水路への水の進入を確実に防止することができる。
【図面の簡単な説明】
【００１５】
【図１】この考案の第１の実施例の概要を示す断面図
【図２】同じくボトル容器に装着した状態を示す図
【図３】同じく注水時の状態を示す断面図
【図４】同じく排水時の状態を示す断面図
【図５】この考案の第２の実施例をボトル容器に装着した状態を示す図
【図６】同じく注水時の状態を示す断面図
【図７】同じく排水時の状態を示す断面図
【考案を実施するための形態】
【００１６】
図１ないし図４は、この考案の第１実施例のボトル容器用水差しノズルの概要を示す図である。
【００１７】
両端が開口した管状水路１は、中間部において略「く」字状の屈曲部２を備えている。この管状水路１の一端側にはボトル容器装着部３が、ペットボトル等のボトル容器Ｂのネジ口に螺合可能なネジ溝を管状水路１の内面に形成することにより設けられており、他端側の開口面は注水口４としてある。
この管状水路１の内径は、取り付けられるボトル容器の口部の外径とほぼ同じであり、屈曲部２の角度（管状水路１のボトル容器取付側１１と注水口側１２との間の角度）は大きすぎると排水時に注水口４から水がこぼれるおそれがあり、小さすぎると注水口４からの注水が困難になることから、１３０°から１６０°程度の間で適宜選択できる。
注水口４は、管状水路１の注水口側２１の軸線に対して直角な開口面として形成されている。
【００１８】
管状水路１の屈曲部２の外側には、管状の排水路５が管状水路１から分岐して斜め上方に向かって設けられており、管状水路１と排水路５とは貫通孔６を介して連通している。この排水路５の先端は開口した排水口となっており、水差し用の管として機能するようになっている。
【００１９】
管状水路１内の排水路５の分岐位置にある貫通孔６近傍の注水口４側には、凸状に隆起した邪魔壁７が設けられている。この邪魔壁７は、管状水路１の注水口側１２を垂直状態にして注水口４から注水した場合に排水路５に直接が水が進入しないよう貫通孔６の上方を遮る庇状に形成されている。また、邪魔壁７の表面７ａ（注水口４側の面）は、管状水路１のボトル容器取付側１１の軸線と平行となるように形成されている。
【００２０】
管状水路１を挟んで排水路５の反対側にはハンドル８が設けられている。このハンドル８は、ボトル容器Ｂ装着時にボトル容器Ｂと干渉しないよう、管状水路１と接続される基端側を排水路５の延長線上に延設し、把持部を下方に屈曲させて形成されている。
【００２１】
以下、このボトル容器用水差しノズルの使用方法を説明する。
まずは、中身の入っていないペットボトルなどのボトル容器Ｂのネジ口に、管状水路１内に形成されたネジ溝３１を螺合させることにより、ボトル容器Ｂにボトル容器用水差しノズルを取り付ける。
【００２２】
次いで、水道の蛇口を用いて注水する場合には、管状水路１の注水口側１２の軸線が垂直状態となるように傾け、注水口４が水道の蛇口の下に位置するようにする。この状態で水道の蛇口を開栓し、注水口４から水をボトル容器Ｂ内に注水する。このとき、排水路５が管状水路１から斜め下方に向かって分岐した状態となるため、注水口４から注水された水が直接排水路５に進入して漏れて出てしまうおそれがあるが、貫通孔６近傍の注水口４側に貫通孔６の上方を遮るようにして形成された邪魔壁７によって、注水された水の流れの向きが変更されるので、注水された水が直接排水路５に流れ込むことを防止することができる。しかも、邪魔壁７の表面７ａは、管状水路１のボトル容器取付側１１の軸線と平行となるように形成してあるので、水の流れをボトル容器側１１の軸線に沿う方向に変更でき、水が排水路５に流れ込んでしまうことを確実に防止することができる（図３参照）。
なお、水道の蛇口から直接注水する方法ではなく、ホースなどを用いて注水する場合には、ホースを注水口４に挿入して注水することができるので、管状水路１の注水口側１２の軸線が垂直状態になるように傾ける必要はない。この場合、排水路５は斜め上方を向いているので、排水路５から水が流れ出るおそれがないからである。
【００２３】
このようにしてボトル容器Ｂ内への注水が完了したら、使用場所まで持ち運び、ハンドル８を把持して排水路５側を下方に傾けて水やり（排水）を行う。ここで、排水路５は管状水路１の屈曲部２の外側（凸側）に設けられているので、排水路５を下向きに傾けると管状水路１の注水口側１２が上向き状態となり、水が注水口４から流れ出るおそれはない（図４参照）。
【００２４】
以上の通り、この考案のボトル容器用水差しノズルを利用すれば、排水路５から排水する際に開口した注水口４から水が流れ出るおそれがないので、注水口４を常時開口状態としておくことができる。また、注水口４からボトル容器Ｂへ注水する際にも、排水路５から水が流れ出てしまうおそれもない。
したがって、この考案のボトル容器用水差しノズルをペットボトルなどのボトル容器に装着して水差しを構成する場合には、注水時に注水口４の開閉作業を省くことができ、注水作業を簡素化することができる。
【００２５】
図５ないし７は、この考案の第２実施例のボトル容器用水差しノズルの概要を示す図である。
第２実施例と上述した第１実施例との差異点は、第２実施例にあっては、管状水路１のボトル容器側１１の軸線を垂直状態としたときに注水口４が水平の開口面となるように注水口４を形成し、管状水路１内の邪魔壁７を省略した点にある。その他の構成は第１実施例と同様である。
【００２６】
第２実施例によれば、管状水路１のボトル容器側１１の軸線を垂直状態としたときに注水口４が水平の開口面となるようにしてあるので、水道の蛇口から注水する場合に、管状水路１の注水口側１２の下側が、鉛直方向に落下する水の受け部として機能し、水道の蛇口から直接注水する場合に、管状水路１の注水口側１２の軸線が垂直状態となるように傾ける必要がない。
また、注水時に管状水路１の注水口側１２を垂直状態に傾ける必要がないので、注水時に排水路５が斜め下向きになることもなく、排水路５から水が流れ出るおそれもない。したがって、注水の際に排水路５からの漏水を防止するための構成である邪魔壁７を管状水路１内に設ける必要はない（図６参照）。
そして、排水路５が管状水路１の屈曲部２の外側（凸側）に設けられているので、排水時に排水路５を下向きに傾けると管状水路１の注水口側１２が上向き状態となり、水が注水口４から流れ出るおそれがないことは、第１実施例の場合と同様である。
【産業上の利用可能性】
【００２７】
この考案は、ペットボトルなどのボトル容器の口部に取り付けて水差しとして利用できるようにするためのボトル容器用水差しノズルに関するものであり、産業上の利用可能性を有するものである。
【符号の説明】
【００２８】
１  管状水路
１１  管状水路のボトル容器装着側
１２  管状水路の注水口側
２  屈曲部
３  ボトル容器装着部
４  注水口
５  排水路
６  貫通孔
７  邪魔壁
８  ハンドル
【図１】
0003189338.tif 000003
【図２】
0003189338.tif 000004
【図３】
0003189338.tif 000005
【図４】
0003189338.tif 000006
【図５】
0003189338.tif 000007
【図６】
0003189338.tif 000008
【図７】
0003189338.tif 000009